(57)【要約】【課題】習熟度に応じた操作補助情報を表示する記録再生装置であって、習熟度を示す習熟値の変更処理の処理精度を向上させることを可能とした記録再生装置を提供する。【解決手段】記録再生装置の初回電源起動時等に、基準値算出部がユーザの読取速度の基準値を算出する。そして操作補助画像が表示された際に、推定読取時間を算出するとともに操作補助画像の表示時間を測定する。そして測定結果と推定読取時間とを比較することにより、ユーザの習熟値の変更処理を行う。なおユーザの読み取り速度の基準値の算出は、基準値算出画像の表示時間の測定結果を基準値算出画像が含む文字画の文字数で除算することにより行なわれる。また推定読取時間の算出は、前記によって得られた基準値に操作補助画像が含む文字画の文字数を乗算することにより行なわれる。【選択図】図１
2008287785.tif 000002
【特許請求の範囲】
【請求項１】
操作者の操作補助を行うための操作補助情報、及び操作者の操作習熟度を示す習熟値を記録した記録手段と、
画像信号を生成する画像信号生成手段と、
画像信号を表示装置に出力する画像信号出力手段と、
前記画像信号出力手段により所定の画像信号が出力された際に、出力開始から出力停止までの時間を表示時間として測定する表示時間測定手段と、
前記画像信号生成手段及び前記画像信号出力手段を用いて、前記習熟値に応じた操作補助画像を前記操作補助情報から生成して表示装置に表示する操作補助表示手段と、
を備えた記録再生装置であって、
操作者の読取速度の基準値を算出するための基準値算出画像を前記画像信号生成手段及び前記画像信号出力手段を用いて表示するとともに、前記表示時間測定手段を用いて前記基準値算出画像の表示時間を第一表示時間として測定し、前記第一表示時間と前記基準値算出画像が含む文字画の文字数とから前記基準値を算出して前記記録手段に記録する基準値算出手段と、
前記操作補助表示手段により前記操作補助画像の表示が行われた際に、前記表示時間測定手段を用いて前記操作補助画像の表示時間を第二表示時間として測定し、前記操作補助画像に含まれる文字画の文字数と前記基準値とから前記操作補助画像を操作者が読み取るのに必要と推定される推定読取時間を算出し、前記第二表示時間が前記推定読取時間を下回る場合に前記習熟値を増加させ、前記第二表示時間が前記推定読取時間を上回る場合に前記習熟値を減少させる習熟値変更手段と、
を備えたことを特徴とする記録再生装置。
【請求項２】
前記基準値算出手段が、前記第一表示時間を前記基準値算出画像が含む文字画の文字数で除算することにより前記基準値を算出し、
前記習熟値変更手段が、前記操作補助画像が含む文字画の文字数に前記基準値を乗算することにより前記推定読取時間を算出すること
を特徴とする請求項１に記載の記録再生装置。
【請求項３】
前記基準値算出手段が、前記第一表示時間が予め定められた下限値を下回る場合、或いは予め定められた上限値を上回る場合に、前記基準値を予め定められた所定値に決定すること
を特徴とする請求項１または請求項２に記載の記録再生装置。
【請求項４】
前記基準値算出手段が、前記基準値算出画像に静止画が含まれている場合において、前記静止画の数に所定時間を乗算した時間を前記第一表示時間から減算することにより第三表示時間を算出し、前記第三表示時間を前記基準値算出画像が含む文字画の文字数で除算することにより前記基準値を算出すること
を特徴とする請求項１〜請求項３のいずれかに記載の記録再生装置。
【請求項５】
前記習熟値変更手段が、前記操作補助表示手段により表示される前記操作補助画像に静止画が含まれる場合において、前記静止画の数に所定時間を乗算した時間を前記推定読取時間に加算すること
を特徴とする請求項１〜請求項４のいずれかに記載の記録再生装置。
【請求項６】
前記習熟値変更手段が、前記第二表示時間が前記推定読取時間から上下に所定範囲内である場合と、前記推定読取時間に所定時間を加算した時間を前記第二表示時間が上回る場合と、前記推定読取時間に所定時間を減算した時間を前記第二表示時間が下回る場合とにおいて、前記習熟値の変更を行わないこと
を特徴とする請求項１〜請求項５のいずれかに記載の記録再生装置。
【請求項７】
前記操作補助情報が文字情報、静止画情報、及び動画情報を含み、
前記操作補助表示手段が前記習熟値に応じて、文字情報のみからなる前記操作補助画像、文字情報と静止画情報とからなる前記操作補助画像、及び文字情報と静止画情報と動画情報とからなる前記操作補助画像のいずれかを生成して表示すること
を特徴とする請求項１〜請求項６のいずれかに記載の記録再生装置。
【請求項８】
前記記録手段が、前記操作補助画像の管理情報を含む操作補助画像管理テーブルを記録しており、
前記操作補助表示手段が前記操作補助画像の表示指示を受けた際に、前記記録手段より読み出した習熟値と前記操作補助画像管理テーブルとに基づいて表示する前記操作補助画像を決定して表示すること
を特徴とする請求項１〜請求項７のいずれかに記載の記録再生装置。
【請求項９】
前記習熟値変更手段が、前記推定読取時間を算出する際に、前記操作補助画像管理テーブルを参照することにより、前記操作補助表示手段により表示される前記操作補助画像が含む文字画の文字数、及び静止画数を取得すること
を特徴とする請求項８に記載の記録再生装置。
【請求項１０】
前記記録再生装置を通信網に接続する通信手段を備え、
前記操作補助表示手段が前記操作補助画像の表示指示を受けた際に、指示された前記操作補助画像の生成に必要な前記操作補助情報が前記記録手段に記録されているかどうかを判定し、存在しないと判定された場合に前記通信手段を用いて、通信網に接続された情報処理装置から前記操作補助情報を取得すること
を特徴とする請求項１〜請求項９のいずれかに記載の記録再生装置。
【発明の詳細な説明】
【技術分野】
【０００１】
本発明は、装置の操作補助情報を表示装置に出力する記録再生装置に関するものであり、特にユーザの操作習熟度に応じた操作補助情報を表示することを可能とした記録再生装置に関する。
【背景技術】
【０００２】
近年、ＤＶＤ（Digital Versatile Disk）プレーヤやＨＤＤ（Hard Disk Drive）レコーダ等の記録再生装置において、デジタル技術等の向上により様々な新機能の追加が行われている。例えば自動録画機能や同時再生機能のような、従来の記録再生装置では実現できなかった機能が多数出現している。
【０００３】
しかしこのような記録再生装置の多機能化は、各機能の操作補助を行うための操作補助情報の量が膨大になるといった問題を伴う。このためユーザは、自分が使用する機能の操作方法を知りたい場合に、膨大な量の操作補助情報の中から自分の習熟度（＝操作習熟度）にあわせた操作補助情報を探さねばならない。結果として、ユーザに煩わしさを感じさせるという問題があった。また、操作補助情報の増加は、記録再生装置が内蔵する記録装置の容量を圧迫するという問題もある。
【０００４】
上記に関連して特許文献１には、ユーザにとって快適な操作補助を行うことが可能な操作補助装置が開示されている。特許文献１の操作補助装置は、操作手段によって入力された操作の状況に応じてユーザの習熟度を判定し、操作補助を行うか否かの決定を行うことを特徴としている。
【０００５】
また上記に関連して特許文献２には、ユーザの操作履歴を自動的に収集し、収集したその操作履歴に基づきユーザの習熟度に応じた画面を提供可能な習熟度別画面表示プログラムが開示されている。特許文献２の習熟度別画面表示プログラムは、入力手段を利用した操作履歴を取得する操作履歴取得手段と、操作履歴取得手段で取得した操作履歴に基づきユーザの習熟度を判定する習熟度判定手段を備えている。そして習熟度判定手段で判定した習熟度に基づき、習熟度に応じた習熟度別画面を生成することを特徴としている。
【０００６】
また上記に関連して特許文献３には、システムに習熟したユーザにとってプロセスの進行を遅く感じさせることなく、また一人のユーザ当たりの処理速度を向上させることを目的とした対話型コンピュータシステムが開示されている。特許文献３の対話型コンピュータシステムは、対話型入出力装置から入力される情報に基づいて操作者のシステム習熟度を判定する判定手段を備え、該判定手段による判定に応じて対話型入出力装置との対話プロセスのメッセージ表示形態が選択されることを特徴としている。
【０００７】
また上記に関連して特許文献４には、メンテナンスを容易かつ効率的に行うことが可能な画像形成システムが開示されている。特許文献４の画像形成システムは、ユーザの習熟度を判定してそのレベルに適したガイダンス（＝操作補助情報）の表示を行えるよう、画像形成装置内の記録部に段階的にレベルの異なるガイダンス情報を記録している。さらにガイダンスの内容が不十分であると判断された場合、外部の情報処理装置から、より詳細なガイダンス情報を画像形成装置にダウンロードすることを特徴としている。
【特許文献１】特開２００６−１３９３３２号公報
【特許文献２】特開２００３−１７７８５４号公報
【特許文献３】特開平１１−２５９２０２号公報
【特許文献４】特開２００５−１７２９０２号公報
【発明の開示】
【発明が解決しようとする課題】
【０００８】
上記特許文献１〜特許文献４においては、ユーザが行った操作の内容に基づいてユーザの習熟度を判定し、この習熟度に基づいて操作補助情報の表示等の各種処理を行っている。しかしこれらの発明は、ユーザの習熟度を判定するための操作履歴の記録機能や、習熟度判定のための複雑な処理、或いは新たな装置部の追加が必要であるという問題があった。また、習熟度の判定処理の処理精度が必ずしも高いとは言えなかった。
【０００９】
本発明は、上記の問題を鑑みてなされたものであり、ユーザの習熟度に応じた操作補助情報を表示する記録再生装置であって、簡易な構成及び処理方法によりユーザの習熟度を判定すると共に、習熟度を示す習熟値の変更処理の処理精度を向上させることを可能とした記録再生装置を提供することにある。
【課題を解決するための手段】
【００１０】
上記目的を達成するために本発明の記録再生装置は、操作者の操作補助を行うための操作補助情報、及び操作者の操作習熟度を示す習熟値を記録した記録手段と、画像信号を生成する画像信号生成手段と、画像信号を表示装置に出力する画像信号出力手段と、前記画像信号出力手段により所定の画像信号が出力された際に、出力開始から出力停止までの時間を表示時間として測定する表示時間測定手段と、前記画像信号生成手段及び前記画像信号出力手段を用いて、前記習熟値に応じた操作補助画像を前記操作補助情報から生成して表示装置に表示する操作補助表示手段とを備えた記録再生装置であって、操作者の読取速度の基準値を算出するための基準値算出画像を前記画像信号生成手段及び前記画像信号出力手段を用いて表示するとともに、前記表示時間測定手段を用いて前記基準値算出画像の表示時間を第一表示時間として測定し、前記第一表示時間と前記基準値算出画像が含む文字画の文字数とから前記基準値を算出して前記記録手段に記録する基準値算出手段と、前記操作補助表示手段により前記操作補助画像の表示が行われた際に、前記表示時間測定手段を用いて前記操作補助画像の表示時間を第二表示時間として測定し、前記操作補助画像に含まれる文字画の文字数と前記基準値とから前記操作補助画像を操作者が読み取るのに必要と推定される推定読取時間を算出し、前記第二表示時間が前記推定読取時間を下回る場合に前記習熟値を増加させ、前記第二表示時間が前記推定読取時間を上回る場合に前記習熟値を減少させる習熟値変更手段とを備えたことを特徴としている。
【００１１】
これによると、本発明の記録再生装置は、ユーザ（＝操作者）の習熟度を示す習熟値や操作補助情報を記録したメモリ或いはＲＯＭ等の記録部（＝記録手段）を備えている。また、習熟値に応じた操作補助画像を生成して表示装置に表示する操作補助表示部（＝操作補助表示手段）を備えている。また、ユーザの読み取り速度を算出するための基準値算出部（＝基準値算出手段）を備えている。
【００１２】
基準値算出部は、記録再生装置の初回電源起動時等に、ユーザの読取速度の基準値を算出するための基準値算出画像をモニタ等の表示装置に表示する。そしてユーザが基準値算出画像に含まれる情報を読み取り、基準値算出画像が消去されるまでの時間（＝第一表示時間）を測定する。そして測定した時間と基準値算出画像が含む文字画の文字数とから、ユーザの読み取り速度の基準値を算出してメモリ等に記録する。
【００１３】
記録された基準値は、例えばヘルプボタンが押下される等により操作補助画像が表示された際に、推定読取時間を算出するために用いられる。推定読取時間とは、ユーザが操作補助画像に含まれる情報を読み取るのにかかると推定される時間である。推定読取時間は、操作補助画像に含まれる文字画の文字数と、基準値算出部により算出された基準値とに基づいて算出される。
【００１４】
そして習熟値変更部（＝習熟値変更手段）は、操作補助画像の表示が開始された際に、表示終了までの時間（＝第二表示時間）を測定し、測定結果と推定読取時間を比較する。測定結果が推定読取時間を下回る場合、メモリ等に記録されている習熟値を所定値だけ増加させる。逆に測定結果が前記推定読取時間を上回る場合、習熟値を所定値だけ減少させる。これは、習熟度の高いユーザほど操作補助説明を読む時間が短く、逆に習熟度の低いユーザほど操作補助説明を読む時間が長くかかる傾向を利用したものである。
【００１５】
また、上記目的を達成するために本発明の記録再生装置は、前記基準値算出手段が、前記第一表示時間を前記基準値算出画像が含む文字画の文字数で除算することにより前記基準値を算出し、前記習熟値変更手段が、前記操作補助画像が含む文字画の文字数に前記基準値を乗算することにより前記推定読取時間を算出することを特徴としている。
【００１６】
これによると基準値算出部は、ユーザの読み取り速度の基準値を算出する方法として、基準値算出画像の表示時間の測定結果を基準値算出画像が含む文字画の文字数で除算する。これにより得られた値を基準値としてメモリ等に記録する。また習熟値変更部は、推定読取時間を算出する方法として、ユーザの読み取り速度の基準値に操作補助画像が含む文字画の文字数を乗算する。これにより得られた値を推定読取時間として、習熟値変更処理に用いる。
【００１７】
また、上記目的を達成するために本発明の記録再生装置は、前記基準値算出手段が、前記第一表示時間が予め定められた下限値を下回る場合、或いは予め定められた上限値を上回る場合に、前記基準値を予め定められた所定値に決定することを特徴としている。
【００１８】
これによると、基準値算出部が基準値を算出する際に、基準値算出画面の表示時間測定結果が予め定められた下限値を下回る、或いは上限値を上回るかどうかを判定する。そしして前記の条件を満たす場合に基準値の算出処理を行わず、予め定められているデフォルト値を基準値として決定してメモリ等に記録する。
【００１９】
また、上記目的を達成するために本発明の記録再生装置は、前記基準値算出手段が、前記基準値算出画像に静止画が含まれている場合において、前記静止画の数に所定時間を乗算した時間を前記第一表示時間から減算することにより第三表示時間を算出し、前記第三表示時間を前記基準値算出画像が含む文字画の文字数で除算することにより前記基準値を算出することを特徴としている。
【００２０】
これによると、基準値算出部が表示する基準値算出画像に静止画が含まれている場合において、所定時間に静止画数を乗算した時間を算出する。そして測定した基準値算出画像の表示時間から前記の時間を減算する。この結果得られた時間（＝第三表示時間）を基準値算出画像が含む文字画の文字数で除算することにより、ユーザの読み取り速度の基準値を算出する。
【００２１】
また、上記目的を達成するために本発明の記録再生装置は、前記習熟値変更手段が、前記操作補助表示手段により表示される前記操作補助画像に静止画が含まれる場合において、前記静止画の数に所定時間を乗算した時間を前記推定読取時間に加算することを特徴としている。
【００２２】
これによると、操作補助表示部によって表示される操作補助画像に静止画が含まれている場合において、習熟値変更部は、所定時間に静止画数を乗算した時間を算出する。そして習熟値変更手段は推定読取時間を算出する際に、算出した推定読取時間に前記の時間（＝所定時間×静止画数）を加算して習熟値変更処理を行う。
【００２３】
また、上記目的を達成するために本発明の記録再生装置は、前記習熟値変更手段が、前記第二表示時間が前記推定読取時間から上下に所定範囲内である場合と、前記推定読取時間に所定時間を加算した時間を前記第二表示時間が上回る場合と、前記推定読取時間に所定時間を減算した時間を前記第二表示時間が下回る場合とにおいて、前記習熟値の変更を行わないことを特徴としている。
【００２４】
これによると、習熟値変更部は、次の条件が満たされる場合に習熟値の変更処理を行わない。（１）測定された操作補助画像の表示時間が、推定読取時間から上下所定の範囲内である場合。（２）測定された操作補助画像の表示時間が、推定読取時間に所定時間を加算した時間を上回る場合。（３）測定された操作補助画像の表示時間が、推定読取時間に所定時間を減算した時間を下回る場合。
【００２５】
また、上記目的を達成するために本発明の記録再生装置は、前記操作補助情報が文字情報、静止画情報、及び動画情報を含み、前記操作補助表示手段が前記習熟値に応じて、文字情報のみからなる前記操作補助画像、文字情報と静止画情報とからなる前記操作補助画像、及び文字情報と静止画情報と動画情報とからなる前記操作補助画像のいずれかを生成して表示することを特徴としている。
【００２６】
これによると、操作補助情報は文字情報、静止画情報、及び動画情報を含む。従って操作補助表示部は、習熟値に応じて、次の何れかの操作補助画像を生成して表示する。（１）文字情報のみの操作補助画像。（２）文字情報と静止画情報とを含む操作補助画像。（３）文字情報と静止画情報と動画情報とを含む操作補助画像。
【００２７】
また、上記目的を達成するために本発明の記録再生装置は、前記記録手段が、前記操作補助画像の管理情報を含む操作補助画像管理テーブルを記録しており、前記操作補助表示手段が前記操作補助画像の表示指示を受けた際に、前記記録手段より読み出した習熟値と前記操作補助画像管理テーブルとに基づいて表示する前記操作補助画像を決定して表示することを特徴としている。
【００２８】
これによると、メモリ等の記録部が、各操作補助画像を管理するための管理情報を記録した操作補助画像管理テーブルを保持している。そして操作補助表示部が操作補助画像の表示指示を受けた際に、メモリより読み出した習熟値と、この操作補助画像管理テーブルとに基づいて、表示すべき操作補助画像を一意に特定して表示する。
【００２９】
また、上記目的を達成するために本発明の記録再生装置は、前記習熟値変更手段が、前記推定読取時間を算出する際に、前記操作補助画像管理テーブルを参照することにより、前記操作補助表示手段により表示される前記操作補助画像が含む文字画の文字数、及び静止画数を取得することを特徴としている。
【００３０】
これによると、習熟値変更手段が推定読取時間を算出する際に、操作補助画像管理テーブルに含まれる操作補助画面毎の管理情報を参照する。そして管理情報の中から、該当する操作補助画像が含む文字画の文字数や、操作補助画像が含む静止画数を取得して推定読取時間の算出に使用する。
【００３１】
また、上記目的を達成するために本発明の記録再生装置は、前記記録再生装置を通信網に接続する通信手段を備え、前記操作補助表示手段が前記操作補助画像の表示指示を受けた際に、指示された前記操作補助画像の生成に必要な前記操作補助情報が前記記録手段に記録されているかどうかを判定し、存在しないと判定された場合に前記通信手段を用いて、通信網に接続された情報処理装置から前記操作補助情報を取得することを特徴としている。
【００３２】
これによると、記録再生装置をインターネット等の通信網に接続する通信部（＝通信手段）を備えている。そして操作補助表示部が操作補助画像の表示指示を受けた際に、指示された操作補助画像の生成に必要な操作補助情報が、メモリやＲＯＭ等の内部記録媒体に記録されているかどうかを判定する。記録されていない場合、必要な操作補助情報を通信部を用いて外部の情報配信サーバ等の情報処理装置から取得する。
【発明の効果】
【００３３】
本発明によれば、記録再生装置の初回電源起動時等に、基準値算出部がユーザの読取速度の基準値を算出する。そして操作補助画像が表示された際に、推定読取時間を算出するとともに操作補助画像の表示時間を測定する。そして測定結果と推定読取時間とを比較することにより、ユーザの習熟値の変更処理を行う。このため、ユーザの読み取り速度に基づいた、より精度の高い習熟度判定処理を実現することが可能である。また、従来の習熟度判定処理のようにユーザの操作履歴の記録等を行う必要がないため、記録媒体を有効に活用できる。
【００３４】
また本発明によれば、ユーザの読み取り速度の基準値を算出する方法として、基準値算出画像の表示時間を基準値算出画像が含む文字画の文字数で除算することにより行う。また推定読取時間の算出を、前記によって得られた基準値に操作補助画像が含む文字画の文字数を乗算することにより行う。このようにして、ユーザの一文字あたりの読み取り速度を基準値として推定読取時間を算出するため、より精度の高い推定読取時間を算出することが可能である。
【００３５】
また本発明によれば、基準値算出部が基準値を算出する際に、基準値算出画面の表示時間測定結果が予め定められた下限値を下回る、或いは上限値を上回る場合に、予め定められているデフォルト値を基準値として決定する。このため、例えば基準値算出画面の表示中にユーザが席を離れるなどして表示時間が極端に長くなった場合、或いはユーザが基準値算出画面を読み飛ばすことにより表示時間が極端に短くなった場合等において、誤った基準値が算出されるのを防ぐことができる。
【００３６】
また本発明によれば、基準値算出画像に静止画が含まれている場合において、測定した基準値算出画像の表示時間から、所定時間×静止画数により求められた時間を減算する。そしてこの結果を基準値算出画像が含む文字画の文字数で除算することにより、読み取り速度の基準値を算出する。このため、基準値算出画像が含む静止画をユーザが閲覧することにより読み取り時間が増加する場合であっても、その増加した分の読み取り時間を補正することが可能である。このため、より精度の高い読み取り速度の基準値を得ることができる。
【００３７】
また本発明によれば、表示される操作補助画像に静止画が含まれている場合において、習熟値変更部が算出した推定読取時間に所定時間×静止画数により求められた時間を加算する。このため、操作補助画像が含む静止画をユーザが閲覧することにより、読み取り時間が増加する場合であっても、その増加した分の読み取り時間を補正することが可能である。このため、より精度の高い推定読取時間を得ることができる。
【００３８】
また本発明によれば、次の条件が満たされる場合に習熟値の変更処理を行わない。（１）測定された操作補助画像の表示時間が、推定読取時間から上下所定の範囲内である場合。（２）測定された操作補助画像の表示時間が、推定読取時間に所定時間を加算した時間を上回る場合。（３）測定された操作補助画像の表示時間が、推定読取時間に所定時間を減算した時間を下回る場合。上記（１）については、表示時間が推定読取時間の近似値であるため、習熟値の変更を行う必要がないためである。また上記（２）及び（３）については、表示時間が著しく長い或いは著しく短いため、その信頼性が低いと判断されるためである。このように（１）〜（３）により、より精度の高い習熟値変更処理を実施することが可能である。
【００３９】
また本発明によれば、操作補助情報は文字情報、静止画情報、及び動画情報を含む。そして習熟値に応じて、何れの文字情報を用いて操作補助画像を生成するかが決定される。従って例えば、習熟値が大きい（＝習熟度が高い）場合は文字情報のみの簡易な操作補助画像、また例えば、習熟値が小さい（＝習熟度が低い）場合は上記全ての情報を用いた詳細な操作補助画像が生成される。このため、よりユーザの習熟度に適した操作補助を実施することが可能である。
【００４０】
また本発明によれば、メモリ等の記録部が操作補助画像管理テーブルを保持している。そして操作補助表示部が操作補助画像の表示指示を受けた際に、メモリより読み出した習熟値と、操作補助画像管理テーブルとに基づいて表示すべき操作補助画像を特定する。このため、同内容の操作補助を行うための操作補助画像が習熟度毎に複数用意されていても、表示すべき操作補助画像を容易かつ確実に特定することができる。
【００４１】
また本発明によれば、習熟値変更手段が推定読取時間を算出する際に、操作補助画像管理テーブルから表示対象の操作補助画像が含む文字画の文字数や、静止画数を取得する。このため、推定読取時間の算出に用いる各値を容易かつ確実に取得することができる。
【００４２】
また本発明によれば、操作補助表示部が操作補助画像の表示指示を受けた際に、指示された操作補助画像の生成に必要な操作補助情報が、内部記録媒体に存在しない場合に、必要な操作補助情報を通信部を用いて外部から取得する。このため、内部記録媒体には最小限の操作補助情報のみを記録しておけば良く、従って内部記録媒体の容量を有効に活用することが可能である。
【発明を実施するための最良の形態】
【００４３】
以下に本発明の第一の実施形態を、図面を参照しながら説明する。なお、ここで示す実施形態は一例であり、本発明はここに示す実施形態に限定されるものではない。
【００４４】
〈１−１．内部構成について〉
図２は、本発明の第一の実施形態に係るＨＤＤレコーダ１（＝記録再生装置）を示すブロック構成図である。ＨＤＤレコーダ１は、少なくとも、制御部１１、メモリ１２（＝記録手段）、ＨＤＤ１３（＝記録手段）、データ入力部１４、信号処理部１５（＝画像信号出力手段の一部）、色再生回路１６、ＯＳＤ処理部１７（＝画像信号生成手段）、データ出力部１８（＝画像信号出力手段の一部）、ＲＯＭ１９（＝記録手段）、操作部２０、表示部２１、及び通信部２２（＝通信手段）を含むように構成されている。
【００４５】
制御部１１は、ＨＤＤレコーダ１の各部を制御することにより記録再生処理、例えばテレビ番組の録画やモニタへの出力再生等を統括制御するための中央処理装置である。制御部１１は、マイクロプロセッサ等の複数の演算処理装置から構成されている。制御部１１は各装置、例えば色再生回路１６等の制御やデータの計算、加工処理等を行なう中枢部分となっている。
【００４６】
また制御部１１は、制御部１１が備える演算処理装置上でプログラムを実行することにより実現される機能部として、操作補助表示部１１ａ（＝操作補助表示手段）、表示時間測定部１１ｂ（＝表示時間測定手段）、基準値算出部１１ｃ（＝基準値算出手段）、及び習熟値変更部１１ｄ（＝習熟値変更手段）を備えている。なお、制御部１１が備える各機能部の詳細については後述する。
【００４７】
メモリ１２は、ＨＤＤレコーダ１が保持する各種データを一時的に記録する媒体であり、例えば書込可能なＲＡＭ（Random Access Memory）等により構成されている。メモリ１２は、例えば制御部１１によって記録再生処理が行われる際の処理データや、ユーザ（＝操作者）から受けた指示命令等を一時的に記録しておくためのバッファメモリとしての役割を持つ。
【００４８】
ＨＤＤ１３は、ＨＤＤレコーダ１が保持する録画データ等の画像情報や音声情報、及びＨＤＤレコーダ１の管理情報等を記録するための磁気記録媒体である。またＨＤＤ１３には、後述する操作補助情報を記録することも可能である。なお、ＨＤＤ１３は、複数の領域（＝パーティション）に分割されており、記録するデータの種別に応じて領域別に記録することがより望ましい。
【００４９】
データ入力部１４は、アンテナ装置等の外部装置から画像信号や音声信号の入力を行うための入力インタフェースである。また、画像信号や音声信号を特定の圧縮方式により圧縮したデジタル情報を入力する役割も持つ。データ入力部１４は例えば、ＲＣＡ端子、Ｓ端子、及びＤ端子等の外部接続端子を含むように構成されている。
【００５０】
信号処理部１５は、画像信号をＭＰＥＧ２等の動画圧縮方式により圧縮を行ったり、音声信号をＤｏｌｂｙ  ＡＣ−３やＬＰＣＭ等の音声圧縮方式により圧縮を行ったりすることによりデジタル情報を生成する。なお、圧縮を行う信号としては、例えばデータ入力部１４より入力された画像信号や音声信号等が圧縮対象となる。また逆に、圧縮されたデジタル情報を画像信号および音声信号に復号する機能も持つ。
【００５１】
色再生回路１６は、信号処理部１５から与えられた画像信号を原色信号に変換する。変換により得られた原色信号は、ＯＳＤ処理部１７に与えられる。ＯＳＤ処理部１７は文字画、静止画、及び動画を表示するための画像信号を生成して原色信号に重畳する。具体的には例えば、ユーザが録画の予約を行うための録画予約画面や、早送り等の動作状態を示すアイコン等を表示するための画像信号を生成する。ＯＳＤ処理部１７により重畳が行われた信号は信号処理部１５に与えられ、後述するデータ出力部１８を経由してモニタ等に出力される。
【００５２】
データ出力部１８は、ＨＤＤレコーダ１に接続された液晶モニタ等の表示装置やスピーカ等の音声装置に対して、画像信号及び音声信号を出力するための出力インタフェースである。ＲＯＭ１９は情報の読み出しのみが可能な記録媒体である。ＲＯＭ１９には例えば、制御部１１を用いて画像再生処理等を行うためのプログラムデータや、工場出荷時のＨＤＤレコーダ１の初期設定情報等が記録されている。
【００５３】
操作部２０は、ユーザがＨＤＤレコーダ１に対して各種指示を行うための操作、例えば再生指示や録画指示等を行なうためのものである。操作部２０は通常、数字ボタンやカーソルボタン等の複数のボタンから構成されている。表示部２１は、ＨＤＤレコーダ１が保持する各種情報、例えば動作状態や動画の再生時間等をユーザに対して表示するためのものである。表示部２１は例えば、液晶パネル等の小型で消費電力の少ない表示装置が用いられることが多い。
【００５４】
通信部２２は、ＨＤＤレコーダ１を通信網に接続し、外部の情報配信サーバ（不図示）等と通信を行うためのものである。なお、通信部２２が接続される具体的な通信網としては、例えばツイストペアケーブルを用いた１０ＢＡＳＥ−Ｔ（ＩＥＥＥ８０２．３ｉとして標準化）を利用した有線ＬＡＮ（Local Area Network）や、ＡＤＳＬ（Asymmetric Digital Subscriber Line）或いはＦＴＴＨ（Fiber To The Home）等を利用した広域通信網等が挙げられる。通信部２２はこれらの通信網に接続するための通信インタフェースと、通信制御を行うための通信制御部とを含むように構成されている。
【００５５】
〈１−２．機能部の構成について〉
ここで、本発明の第一の実施形態に係るＨＤＤレコーダ１における操作補助表示処理、及び習熟度判定処理を実施するための各機能部の関係を、図１の機能ブロック図を用いながら説明する。
【００５６】
図１に示すように本発明の操作補助表示処理、及び習熟度判定処理は少なくとも、制御部１１が備える操作補助表示部１１ａ、表示時間測定部１１ｂ、基準値算出部１１ｃ、及び習熟値変更部１１ｄと、メモリ１２と、信号処理部１５と、ＯＳＤ処理部１７と、データ出力部１８とにより実施される。
【００５７】
操作補助表示部１１ａは、ユーザ操作や画面遷移により操作補助情報の出力指示が発生した際に、ＯＳＤ処理部１７を用いて操作補助画像の生成を行う。そして生成した操作補助画像を信号処理部１５、及びデータ出力部１８を用いてモニタ等の表示装置（不図示）に出力する。この際、操作補助表示部１１ａはメモリ１２より読み出した習熟値に基づき、生成する操作補助画像の種別を決定する。
【００５８】
具体的には例えば、図３に示す習熟度判定テーブル、及び図４に示す操作補助画像管理テーブルを用いて、生成する操作補助画像の種別を決定する。例えばメモリ１２より読み出したユーザの習熟値が「２０」、出力指示を受け付けた操作補助情報の操作補助ＩＤが「２」、であったとする。この場合、図３の習熟度判定テーブルより習熟度が「低」であることが判定される。そして図４の操作補助画像管理テーブルにより、習熟度が「低」、かつ操作補助ＩＤが「２」の操作補助画像、この場合はシリアルＮｏ．が「２」の操作補助画像（＝文字数が「３００」、静止画数が「２」、動画再生時間が「１：３０」の操作補助画像）が生成される。なお、習熟度判定テーブル、及び操作補助画像管理テーブルの詳細については後述する。
【００５９】
表示時間測定部１１ｂは、後述する基準値算出部１１ｃ及び習熟値変更部１１ｄからの指示を受けて、基準値算出画像の表示時間（＝第一表示時間）及び操作補助画像の表示時間（＝第二表示時間）を測定する。表示時間測定部１１ｂが測定した測定結果は、基準値算出部１１ｃ及び習熟値変更部１１ｄに与えられる。
【００６０】
基準値算出部１１ｃは、ＯＳＤ処理部１７を用いて後述する基準値算出画面７０を生成して表示装置に出力することにより、ユーザの読取速度の基準値を算出する。算出された基準値は、メモリ１２に記録され、習熟値変更部１１ｄにより参照される。なお、基準値算出処理の詳細については後述する。
【００６１】
習熟値変更部１１ｄ、操作補助表示部１１ａにより操作補助画像の表示が行われた際に、表示時間測定部１１ｂを用いて操作補助画像の表示時間の測定を行う。そして測定結果に基づき、メモリ１２に記録されているユーザの習熟値の値を変更する。なお、習熟値変更処理の詳細については後述する。
【００６２】
〈１−３．習熟度判定テーブルについて〉
ここで、本発明の第一の実施形態に係るＨＤＤレコーダ１が備える習熟度判定テーブルについて、図３のテーブル図を用いながら説明する。図３は、ＲＯＭ１９等に記録される習熟度判定テーブルの一例を示したテーブル図である。図３に示すように習熟度判定テーブルは、「習熟値」、「習熟度」、「操作補助情報」、「必要追加データ」の四つの欄から構成されている。
【００６３】
「習熟値」欄は、メモリ１２に記録されている習熟値に基づいてユーザの習熟度を段階的に区分するための、習熟値の範囲を示した欄である。操作補助表示部１１ａは、メモリ１２より読み出した習熟値と、この「習熟値」欄に示されている値の範囲とを比較して、後述する「習熟度」、「説明情報」、「必要追加データ」を決定する。なお、図３に示されている「習熟値」の値の範囲は一例であり、ここに示されている以外の値の範囲を用いる形態であってもよい。
【００６４】
「習熟度」欄は、習熟値に応じて段階的に決定されるユーザの習熟度を示す欄である。図３の例では、「低」〜「最高」までの四段階の習熟度が示されている。なお、習熟度の段階はこれに限定されるものではなく、例えば八段階や十段階の習熟度を設定する形態であってもよい。
【００６５】
「操作補助情報」欄は、操作補助表示部１１ａが習熟度に応じた操作補助画像を生成する際に、使用する操作補助情報の種別を示した欄である。具体的には文字画情報、静止画情報、及び動画情報が用いられる。例えば習熟度が「低」の場合は、ユーザの習熟度が低いため、全ての種別の情報を用いて操作補助画像が生成されることが示されている。逆に習熟度が「最高」の場合は、ユーザの習熟度が最も高いため、文字画情報のみを使用した簡易な操作補助画像が生成されることが示されている。
【００６６】
「必要追加データ」欄は、操作補助表示部１１ａが習熟度に応じて操作補助画像を生成する際に、ネットワークを通じて取得する必要がある情報を示した欄である。ＨＤＤレコーダ１の内部には、予め操作補助情報として文字画情報が記録されている。しかし静止画情報及び動画情報は記録されていない。従ってこれらの情報が必要とされる習熟度である場合、操作補助表示部１１ａはネットワークを通じて追加データを取得する必要がある。このように追加取得が必要な情報の種別が、この欄に示されている。
【００６７】
〈１−４．操作補助画像管理テーブルについて〉
ここで、本発明の第一の実施形態に係るＨＤＤレコーダ１が各操作補助画像の管理を行うための操作補助画像管理テーブルについて、図４のテーブル図を用いながら説明する。図４に示すように操作補助画像管理テーブルは、「習熟度」、「操作補助ＩＤ」、「文字数」、「静止画数」、「動画再生時間」、及び「シリアルＮｏ．」の六つの欄から構成されている。
【００６８】
「習熟度」欄は、メモリ１２に記録されている習熟値と、図３の習熟度判定テーブルとに基づいて決定されるユーザの習熟度に対応した欄である。図４の例では、「低」〜「高ｏｒ最高」の三段階に区分されている。「操作補助ＩＤ」欄は、操作補助情報を用いて操作補助を行う対象となる機能、例えば録画機能や再生メニュー表示能等に対して割り振られたＩＤ（identification）を示す欄である。図４の例では、「１」〜「ｎ」までのｎ個（ｎは任意の自然数）のＩＤが示されている。
【００６９】
上記に示すように、操作補助表示部１１ａにより表示される操作補助画像は、「習熟度」及び「操作補助ＩＤ」の二つにより一意に特定される。従って操作補助ＩＤが同じであっても、習熟度が異なれば異なる操作補助画像を用いた操作補助が行われる。
【００７０】
「文字数」欄は、操作補助画像が含む文字画が示す文字の文字数を示す欄である。「静止画数」欄は、操作補助画像が含む静止画の数を示す欄である。「動画再生時間」欄は、操作補助画像が含む動画の再生時間を示す欄である。「シリアルＮｏ．」欄は、操作補助画像を一意に特定するために割り振られた通し番号を示す欄である。
【００７１】
〈１−５．基準値算出画面について〉
ここで、本発明の第一の実施形態に係るＨＤＤレコーダ１が表示装置に出力する基準値算出画面７０について、図５の画面図を用いながら説明する。
【００７２】
図５は、本発明の第一の実施形態に係るＨＤＤレコーダ１の初回電源起動時において、ユーザの読み取り速度の基準値を測定するための基準値算出画像を表示するための基準値算出画面７０の一例である。なおこの画面は、初回電源起動時以外に、ユーザ操作により任意のタイミングで表示可能とする形態であってもよい。図５に示されているように基準値算出画面７０は、少なくともテキスト領域７１、静止画７２、及び操作指示領域７３を含むように構成されている。
【００７３】
テキスト領域７１は、文字画が表示される領域である。具体的には例えば、初回電源起動時にユーザが行わねばならない設定、例えばチャンネル設定やネットワーク設定等に関する注意書き等がテキスト領域７１に表示される。静止画７２は、テキスト領域７１に表示される情報を視覚的に補助するための説明画像である。ただし静止画７２は必ずしも基準値算出画面７０に必須の構成要素ではなく、静止画７２を用いない形態であってもよい。
【００７４】
操作指示領域７３は、現在表示されている画面においてユーザがどのような操作を行えばどのような画面遷移が行われるかを示すための文字画を表示する領域である。図５に示す例では、操作部２０に含まれる決定ボタンを押下することにより、基準値算出画面７０が次頁へ画面遷移することが示されている。
【００７５】
次に、基準値算出画面７０の管理を行うための基準値算出画面管理テーブルについて図６のテーブル図を用いて説明する。なお基準値算出画面管理テーブルは、ＲＯＭ１９等の記録装置に記録されている。図６は、本発明の第一の実施形態に係る基準値算出画面管理テーブルの一例である。図６に示すように本テーブルは、「画面ＩＤ」、「静止画数」、「文字数」の三つの欄から構成されている。
【００７６】
「画面ＩＤ」欄は、基準値算出画面７０を構成する複数の画面を個別に識別するためのＩＤを示した欄であり、一画面と一画面ＩＤとが対応付けられている。図６に示す例では「Ｘ１」〜「Ｘ４」の四つの画面ＩＤが基準値算出画面管理テーブルに存在する。このため、基準値算出画面７０は四つの画面を順次切り替えながら表示する構成であることが示されている。
【００７７】
「静止画数」欄は、「画面ＩＤ」欄に示されている画面ＩＤに対応する画面が含む静止画の数を示した欄である。例えば図５に示した画面の画面ＩＤが、「Ｘ１」であったとする。この場合、テーブルの一行目に示されているように、この画面が二つの静止画を含むことが示されている。
【００７８】
「文字数」欄は、「画面ＩＤ」欄に示されている画面ＩＤに対応する画面が含む文字画によって示される文字の文字数を示した欄である。例えば画面ＩＤが「Ｘ１」である画面が含む文字画には、２００文字分の文字が含まれていることが示されている。
【００７９】
〈１−６．基準値算出処理について〉
ここで、本発明の第一の実施形態に係るＨＤＤレコーダ１におけるユーザ読取速度の基準値算出処理について、図１及び図２のブロック図と、図５の画面図と、図６のテーブル図と、図７のフロー図とを用いながら説明する。
【００８０】
図７は、本発明の第一の実施形態に係るユーザ読取速度の基準値算出処理の処理フローを示したフローチャートである。本処理は、ＨＤＤレコーダ１の電源起動時において開始される。
【００８１】
本処理の開始後、基準値算出部１１ｃはステップＳ１１０において、メモリ１２に記録されている情報、例えば初回電源起動フラグ等を参照して、初回電源起動時であるかどうかの判定を行う。なお初回電源起動時とは、工場出荷時状態のＨＤＤレコーダ１を購入したユーザが、初めてＨＤＤレコーダ１の電源を投入した状態を示す。また、ＨＤＤレコーダ１の設定情報が初期化された直後の電源起動時も同様に、初回電源起動時となる。
【００８２】
ステップＳ１１０において、初回電源起動時ではないと判定された場合、本処理を終了する。逆に初回電源起動時であると判定された場合、基準値算出部１１ｃはステップＳ１２０において、表示時間測定部１１ｂに対して測定用タイマの開始を指示する。指示を受けた表示時間測定部１１ｂは、測定用タイマによる計測を開始する。
【００８３】
次に基準値算出部１１ｃはステップＳ１３０において、ＯＳＤ処理部１７を用いて基準値算出画面７０を生成し、信号処理部１５及びデータ出力部１８を用いてモニタに出力する。これにより、例えば図５に示すような基準値算出画像を含む基準値算出画面７０がモニタの画面上に表示される。
【００８４】
次に基準値算出部１１ｃはステップＳ１４０において、基準値算出画面７０の表示終了指示を検知し、通常のユーザ操作待ち受け状態に移行したかどうかの判定を行う。なお基準値算出画面７０の表示終了指示は、例えば図５の操作指示領域７３に示すように、決定ボタンが所定回数だけ押下されることにより行われる。決定ボタンが押下される毎に基準値算出画面７０は次頁へ画面が遷移する。図６の例では、テーブルに示す画面ＩＤ「Ｘ１」〜「Ｘ４」の四画面が順に表示される。さらに最後の画面、この場合は画面ＩＤ「Ｘ４」の画面が表示されている状態で決定ボタンが押下されると、基準値算出画面７０の表示が終了する。
【００８５】
ステップＳ１４０において基準値算出画面７０の表示終了指示を検知していないと判定された場合、基準値算出部１１ｃは再びステップＳ１３０に移行する。逆に基準値算出画面７０の表示終了指示を検知したと判定された場合、基準値算出部１１ｃはステップＳ１５０において、表示時間測定部１１ｂに対して表示時間の測定用タイマの停止を指示する。指示を受けた表示時間測定部１１ｂは、測定用タイマによる計測を終了する。
【００８６】
次に基準値算出部１１ｃはステップＳ１６０において、表示時間測定部１１ｂが測定した表示時間（＝第一表示時間）と基準値算出画面管理テーブルとを用いて、ユーザの読取速度の基準値である基準値Ａを算出する。基準値Ａの算出方位法としては例えば、まず表示時間測定部１１ｂが測定した測定結果からユーザが静止画７２の閲覧に費やしたと推定される時間を減算する。そして減算により得られた時間を基準値算出画面７０の全画像が含む文字数で除算する。これにより、ユーザが一文字あたりの読取にかかる時間を基準値Ａとして算出する。
【００８７】
具体的には次の計算式を用いて基準値Ａ（単位はmsec／文字数）を算出する。
基準値Ａ＝（ｔｓ−（ｔｉ×Ｐ１））／Ｌ１
なお、上記数式に用いられている記号の内容は以下の通りである。
ｔｓ：表示時間測定部１１ｂによる測定結果（単位はmsec）
ｔｉ：ユーザが静止画一枚の閲覧に費やすと推定される時間（固定値。単位はmsec）
Ｐ１：基準値算出画面７０の全画像が含む静止画数
Ｌ１：基準値算出画面７０の全画像が含む文字数
【００８８】
例えば、表示時間測定部１１ｂにより得られたｔｓが２００秒、つまり２０００００msecであったとする。そして図６の基準値算出画面管理テーブルに示すように、Ｌ１が９００（＝２００＋３００＋３００＋１００）、Ｐ１が４（＝２＋１＋１＋０）であったとする。また予め、ｔｉが固定値として５０００msecに定められていたとする。この場合、上記の数式に各値を代入すると以下のようになる。
基準値Ａ＝（２０００００−（５０００×４））／９００＝２００
【００８９】
上記の例では、基準値Ａが２００（msec／文字数）となる。つまりユーザが一文字を読み取るのにかかる平均時間が２００msecであると判定されている。基準値算出部１１ｃはこの算出した基準値Ａをメモリ１２に記録した後、本処理を終了する。
【００９０】
〈１−７．操作補助表示領域について〉
ここで、本発明の第一の実施形態に係るＨＤＤレコーダ１が表示する操作補助表示領域８０について、図８の画面図を用いながら説明する。なお操作補助表示領域８０とは、ＨＤＤレコーダ１の設定画面や録画予約画面、或いはコンテンツ管理画面等のユーザ操作を受け付け可能なユーザ操作画面において、ユーザの操作補助を行うための操作補助画像を表示するための画面上の一部領域である。
【００９１】
図８は、ＨＤＤレコーダ１がＯＳＤ機能部１７を用いて生成するユーザ操作画面の一つである動画再生メニュー画面９０と、その一部に重ね合わせて表示される操作補助表示領域８０の一例を示した画面図である。ここではまず、動画再生メニュー画面９０について説明する。動画再生メニュー画面９０は少なくとも、タイトル表示領域９１、指示領域９２、カーソル９３、及びガイド表示領域９４を含むように構成されている。
【００９２】
タイトル表示領域９１は、後述するカーソル９３により選択されているコンテンツのタイトル、例えばＨＤＤ１３に記録されている動画データのタイトルを表示するための表示領域である。図８に示す例では「Ｉｔｅｍ１」にカーソル９３があわされており、「Ｉｔｅｍ１」のタイトルである「プロ野球中継（２００７／１０／１０）」という文字列がタイトル表示領域９１に表示されている。
【００９３】
指示領域９２は、ユーザが操作部２０を用いて各種操作指示を行うための情報を示す領域である。具体的には、再生や削除を行うコンテンツの選択や決定をこの領域で行う。図８に示す例では「Ｉｔｅｍ１」〜「Ｉｔｅｍ８」の八つの動画がＨＤＤ１３に記録されていることが示されている。なお、「Ｉｔｅｍ７」及び「Ｉｔｅｍ８」は操作補助表示領域８０のポップアップ表示により一時的に隠されている状態となっている。ユーザは指示領域９２を参照しながら操作部２０による操作を行うことにより、これら八つのコンテンツに対する再生指示を行うことが可能である。
【００９４】
カーソル９３は、指示領域９２において操作対象を選択するためのものである。カーソル９３は、操作部２０に含まれる十字ボタン等によりユーザが操作可能である。図８に示す例では「Ｉｔｅｍ１」にカーソル９３があわされており、「Ｉｔｅｍ１」が強調表示（太枠表示）されている。
【００９５】
ガイド表示領域９４は、表示中画面において操作可能な操作ボタンと、その操作ボタンを操作した際に実施される処理とを表示する領域である。図８に示す例では「十字ボタン」と「決定ボタン」がガイド表示領域９４に表示されている。さらに、「十字ボタン」を操作した際に項目選択処理が、また「決定ボタン」を操作した際に再生処理が実行されることが示されている。
【００９６】
操作補助表示領域８０は、ユーザの操作補助を行うための操作補助画像を表示する領域であり、画面上の一部にポップアップ表示される。操作補助表示領域８０が表示されるトリガとしては、二種類のトリガがある。一つは、操作補助表示領域８０の表示が必要であると予め定められている画面に遷移した際に表示指示が発行される画面遷移型トリガ。もう一つは、操作部２０が備えるヘルプボタン等が押下されることにより表示指示が発行されるボタン押下型トリガである。
【００９７】
ただし上記二つのトリガによる表示指示が並行して発行された場合、どちらか一方のみを優先し、複数の操作補助表示領域８０を同時表示しないようにすることが望ましい。この場合、画面遷移型トリガにより表示された操作補助表示領域８０は、キャンセルボタン等により消去可能であることが望ましい。消去を行った後、ヘルプボタンを押下することによりボタン押下型トリガにて操作補助表示領域８０を表示可能である。
【００９８】
操作補助表示領域８０は少なくとも、テキスト領域８１、画像表示領域８２、及び操作指示部８３を含むように構成されている。なお、メモリ１２に記録されている習熟値の値によっては、こられのうち一部が操作補助表示領域８０に表示されない場合もある。
【００９９】
テキスト領域は８１は、ユーザの操作補助を行うための文字画を表示するための領域である。画像表示領域８２は、ユーザの操作補助を視覚的に行うための静止画及び動画を表示するための領域である。操作指示領域８３は、操作補助表示領域８０に対して指示可能なユーザ操作と、その操作によってもたらされる結果とを示す領域である。例えば図８に示す例では、操作部２０に含まれるヘルプボタンを押下することにより、操作補助表示領域８０が非表示の状態になることが示されている。
【０１００】
なお、上述した操作補助表示領域８０、テキスト領域８１、及び画像表示領域８２に表示される情報の内容は、メモリ１２に記録されている習熟値の値によって変化する。習熟値に対応して、表示される操作補助情報がどのように変化するかの具体例を、次の図９を用いて説明する。
【０１０１】
図９は、動画再生メニュー画面９０において表示される操作補助表示領域８０が含む操作補助内容を、習熟値ごとに分けて示したテーブル図である。なお、習熟値が同一の場合でも、操作補助表示領域８０の表示トリガが異なれば操作補助内容が一部異なるため、トリガ毎にも分けて操作補助内容を示している。
【０１０２】
図９の「習熟度」欄には、図３の習熟度判定テーブルにより決定される習熟度が示されている。「補助説明内容」欄には、それぞれの習熟度に応じて生成される操作補助画像の内容が示されている。「補助説明内容」欄は更に、「画面遷移型トリガ」欄と「ボタン押下型トリガ」欄の二つに分けられている。
【０１０３】
例えば「習熟度」が「低」で表示トリガが「ボタン押下型トリガ」、つまりヘルプボタン等が押下された場合であったとする。この場合、「方向ボタンで、再生対象を変更すること」と「決定ボタンで再生対象を確定し、再生開始すること」を示す文字画がテキスト領域８１に表示され、さらに上記内容を示す静止画、及び動画が画像表示領域８２に表示される。
【０１０４】
また例えば、「習熟度」が「高」でトリガが「画面遷移型トリガ」、つまり動画再生メニュー画面９０への遷移による場合であったとする。この場合、この場合、画面遷移が行われた直後、「方向ボタンで、再生対象を変更すること」と「決定ボタンで再生対象を確定し、再生開始すること」を示す文字画がテキスト領域８１に表示され、なお、画像表示領域８２は表示されない。
【０１０５】
また例えば「習熟度」が「最高」でトリガが「画面遷移型トリガ」である場合であったとする。この場合、動画再生メニュー画面９０への画面遷移が行われたとしても、操作補助表示領域８０が表示されず、従って操作補助説明も行われない。
【０１０６】
〈１−８．習熟値変更処理について〉
ここで、本発明の第一の実施形態に係るＨＤＤレコーダ１による習熟値変更処理について、図１及び図２のブロック図と、図３〜図４のテーブル図と、図８の画面図と、図１０のフロー図と、図１１の時系列図を用いながら説明する。
【０１０７】
図１０は、本発明に係る習熟値変更処理の処理フローを示したフローチャートである。本処理は、ＨＤＤレコーダ１の操作補助表示部１１ａが、ユーザ操作等に起因する操作補助表示領域８０の表示指示を検知することにより開始される。なお、表示指示が発行されるトリガは、前述の「画面遷移型トリガ」及び「ボタン押下型トリガ」のいずれであっても構わない。
【０１０８】
本処理の開始後、操作補助表示部１１ａはステップＳ２１０において、メモリ１２に記録されている習熟値を読み出す。メモリ１２には、前回の習熟値変更処理の処理結果が記録されている。ただしＨＤＤレコーダ１の初回電源起動時には一度も習熟値変更処理が行われていないため、工場出荷時のデフォルト値が読み出される。
【０１０９】
次に操作補助表示部１１ａはステップＳ２２０において、習熟値に基づく習熟度の判定を行う。具体的には、図３に示す習熟度判定テーブルを用いる。操作補助表示部１１ａはメモリ１２より読み出した習熟値が、図３の「習熟値」欄に示されている各範囲のいずれに該当するかを確認し、該当する範囲に対応する習熟度を「習熟度」欄より判定する。例えば読み出した習熟値が２５の場合、「習熟値」欄の「０〜３０」に該当するため、習熟度が「低」であると判定される。
【０１１０】
次に操作補助表示部１１ａはステップＳ２３０において、判定された習熟度に対応する操作補助画像を生成するにあたって、追加データが必要であるかどうかの判定を行う。具体的には、図３に示す習熟度判定テーブルを用いて判定を行う。操作補助表示部１１ａはステップＳ２２０で判定した習熟度に応じた「必要追加データ」欄を参照することにより、必要な追加データの種別を判定する。例えば習熟度が「低」である場合、静止画データと動画データが追加データとして必要であると判定される。
【０１１１】
ステップＳ２３０において、追加データが必要ではないと判定された場合、後述するステップＳ２５０に移行する。逆に追加データが必要であると判定された場合、操作補助表示部１１ａはステップＳ２４０において、通信部１２を用いてネットワーク上のサーバ、例えば情報配信サーバ等から必要な追加データを取得する。
【０１１２】
次に習熟値変更手段１１ｄはステップＳ２５０において、図７に示される基準値算出処理によって予め算出されている基準値Ａをメモリ１２より読み出す。そして基準値Ａと、図４に示す操作補助画像管理テーブルとを用いて、ユーザが操作補助表示領域８０に表示されている各情報を読み取るのに必要と推定される推定読取時間ｔ（単位はmsec）を算出する。具体的な算出方法として、操作補助表示領域８０に表示される情報が（α）文字のみの場合、（β）文字と静止画との場合、（γ）文字と静止画と動画との場合、の三パターンに分けて説明する。
【０１１３】
（α）の場合、テキスト領域８１に表示される操作補助画像が含む文字数に基準値Ａを乗算した値が、推定読取時間ｔとなる。
ｔ＝Ｌ２×基準値Ａ
なお、上記数式に用いられている記号の内容は以下の通りである。
ｔ：推定読取時間（単位はmsec）
Ｌ２：テキスト領域８１に表示される操作補助画像が含む文字数
【０１１４】
例えば図４の操作補助画像管理テーブルの「シリアルＮＯ．」欄が「２ｎ＋２」である操作補助画像の推定読取時間ｔを算出するとする。この画像は１５０文字分の文字画を含んでいるため、１５０×２００＝３００００（msec）となる。つまり３０秒が推定読取時間ｔとなる。
【０１１５】
（β）の場合、テキスト領域８１に表示される操作補助画像が含む文字数に基準値Ａを乗算した値に、画像表示領域８２に表示される静止画の閲覧推定時間を加算した値が、推定読取時間ｔとなる。
ｔ＝（Ｌ２×基準値Ａ）＋（ｔｉ×Ｐ２）
なお、上記数式に用いられている記号の内容は以下の通りである。
ｔ：推定読取時間（単位はmsec）
ｔｉ：ユーザが静止画一枚の閲覧に費やすと推定される時間（固定値。単位はmsec）
Ｌ２：テキスト領域８１に表示される操作補助画像が含む文字数
Ｐ２：画像表示領域８２に表示される操作補助画像が含む静止画数
ただしｔｉについては、基準値算出処理において用いられたｔｉと同じ固定値、つまり本実施例においては５０００msecを用いる必要がある。
【０１１６】
例えば操作補助画像管理テーブルの「シリアルＮＯ．」欄が「ｎ＋２」である操作補助画像の推定読取時間ｔを算出するとする。この画像は２００文字分の文字画と二つの静止画を含んでいるため、（１５０×２００）＋（５０００×２）＝４００００（msec）となる。つまり４０秒が推定読取時間ｔとなる。
【０１１７】
（γ）の場合、前述の（β）と同様の方法で算出した推定読取時間ｔと、動画再生時間とを比較し、長い方の時間を推定読取時間ｔとする。
【０１１８】
例えば操作補助画像管理テーブルの「シリアルＮＯ．」欄が「１」である操作補助画像の推定読取時間ｔを算出するとする。この画像は２００文字分の文字画と一つの静止画を含んでいるため、（１５０×２００）＋（５０００×１）＝３５０００（msec）となる。つまり３５秒が（β）と同様の方法で算出した推定読取時間ｔとなる。これに対し、この操作補助画像が含む動画の再生時間は「１：００」、つまり６０秒であるため、動画再生時間の方が長い。従って６０秒が推定読取時間ｔとなる。
【０１１９】
次に操作補助表示部１１ａはステップＳ２６０において、メモリ１２、ＨＤＤ１３或いはＲＯＭ１９に記録されている操作補助情報と、必要に応じてネットワークから取得した操作補助情報とから、図８に示す操作補助表示領域８０に操作補助画像を表示するための画像信号をＯＳＤ処理部１７を用いて生成する。
【０１２０】
次に操作補助表示部１１ａはステップＳ２７０において、ＯＳＤ処理部１７を用いて生成した上記の画像信号を信号処理部１５及びデータ出力部１８を用いてモニタに出力する。これにより、図８に示すように操作補助表示領域８０がポップアップ表示される。
【０１２１】
次に習熟値変更部１１ｄはステップＳ２８０において、表示時間測定部１１ｂに対して表示時間の測定用タイマの開始を指示する。指示を受けた表示時間測定部１１ｂは、測定用タイマによる表示時間（＝第二表示時間）の計測を開始する。
【０１２２】
次に制御部１１はステップＳ２９０において、ユーザ操作を待ち受ける状態に移行する。具体的には例えば、図８に示すように動画再生メニュー画面９０及び操作補助表示領域８０がモニタ上に表示されている状態で、十字ボタンや決定ボタンを用いた動画再生指示等を待ち受ける状態となる。
【０１２３】
次に習熟値変更部１１ｄはステップＳ３００において、操作補助領域８０に表示されている操作補助画像の表示が終了したかどうかの判定を行う。なお、操作補助画像の表示の終了は、例えば操作補助表示領域８０がユーザ操作により消去された場合や、操作補助表示領域８０が画面遷移により強制消去された場合をもって終了とみなす。
【０１２４】
例えば図８の例では、操作指示領域８３に、ヘルプボタンが押下されることにより操作補助表示領域８０が非表示となることが示されている。このため、ユーザ操作によりヘルプボタンが押下された場合に、操作補助画像の表示が終了したとみなされる。或いは、動画再生メニュー画面９０から通常の動画再生画面への画面遷移が行われた場合も同様に、操作補助画像の表示が終了したとみなされる。
【０１２５】
ステップＳ３００において、操作補助画像の表示が終了していないと判定された場合、ステップＳ２９０に移行し、引き続きユーザ操作の待ち受けを行う。逆に操作補助画像の表示が終了したと判定された場合、次に習熟値変更部１１ｄはステップＳ３１０において、表示時間測定部１１ｂに対して表示時間の測定用タイマの停止を指示する。指示を受けた表示時間測定部１１ｂは、測定用タイマによる計測を終了する。
【０１２６】
次に習熟値変更部１１ｄは、表示時間測定部１１ｂにより得られた表示時間の測定結果と、ステップＳ２５０において算出された推定読取時間ｔとを比較する。これにより、習熟値を変更する必要があるかどうかを判定する。
【０１２７】
上記の具体的な判定方法を、図１１の時系列図を用いて説明する。図１１は操作補助画像の表示時間と推定読取時間ｔとの関係を表した時系列図である。図１１においては、横軸が表示開始からの経過時間（＝表示時間）を示しており、左の端点が表示開始時（つまり表示時間＝０の地点）を示している。ここから右に移動するにつれ、表示時間が増加する。図１１においては、地点Ｔが推定読取時間ｔを示している。そして地点Ｔの左側に地点Ｔ-1及びＴ-2が、地点Ｔの右側に地点Ｔ1及び地点Ｔ2が存在する。
【０１２８】
各地点は以下の方法により決定される。
Ｔ-1＝ｔ−ｔ×ｍ１
Ｔ-2＝ｔ−ｔ×ｍ２
Ｔ1＝ｔ＋ｔ×ｍ３
Ｔ2＝ｔ＋ｔ×ｍ４
なお、上記数式に用いられている記号の内容は以下の通りである。
ｔ：推定読取時間（単位はmsec）
ｍ１〜ｍ４：予め定められた固定値。ただし、次の全ての条件を満たすこと。０≦ｍ１≦１、０≦ｍ２≦１、０≦ｍ３≦１、０≦ｍ４≦１、ｍ１＜ｍ２、ｍ３＜ｍ４。
【０１２９】
上記の四地点により、表示時間は区間（Ａ）〜区間（Ｅ）の五つの区間に分割される。各区間の定義と、表示時間測定部１１ｂにより得られた測定結果が各区間に該当する場合の習熟値の変更有無について以下に示す。
区間（Ａ）：表示時間が０以上、Ｔ-2未満の区間。習熟値を変更しない。
区間（Ｂ）：表示時間がＴ-2以上、Ｔ-1未満の区間。習熟値を所定値だけ増やす。
区間（Ｃ）：表示時間がＴ-1以上、Ｔ1未満の区間。習熟値を変更しない。
区間（Ｄ）：表示時間がＴ1以上、Ｔ2未満の区間。習熟値を所定値だけ減らす。
区間（Ｅ）：表示時間がＴ2以上の区間。習熟値を変更しない。
【０１３０】
なお上記区間（Ａ）及び区間（Ｅ）において習熟値を変更しないのは、表示時間が極端に短い、或いは極端に長いため、測定結果の信頼性が低いと考えられるためである。例えば区間（Ｅ）は、操作補助表示領域８０に操作補助画像が表示されている状態で、ユーザが席を外した場合等を想定したものである。
【０１３１】
上記の時系列データを用いて習熟値変更部１１ｄは、ステップＳ３２０において、表示時間の測定結果が区間（Ｂ）の範囲内であるかどうかの判定を行う。区間（Ｂ）の範囲内である場合、ステップＳ３３０において習熟値を所定値、たとえば１だけ減らした後、メモリ１２に記録する。逆に区間（Ｂ）の範囲内ではない場合、ステップＳ３２１において、表示時間の測定結果が区間（Ｄ）の範囲内であるかどうかの判定を行う。
【０１３２】
区間（Ｄ）の範囲内である場合、ステップＳ３２２において習熟値を所定値、例えば１だけ増やした後、メモリ１２に記録する。逆に区間（Ｄ）の範囲内ではない場合、習熟値の変更は行わない。次に制御部１１はステップＳ３４０において、通常のユーザ操作待ち受け状態、例えば操作補助表示領域８０の動画再生メニュー画面９０に移行した後、本処理を終了する。
【０１３３】
次に、本発明の記録再生装置の第二の実施形態ついて、図面を参照しつつ説明する。
［実施の形態２］
〈２−１．内部構成について〉
実施の形態１と同内容であるため、ここでは説明を省略する。
【０１３４】
〈２−２．機能部の構成について〉
実施の形態１と同内容であるため、ここでは説明を省略する。
【０１３５】
〈２−３．習熟度判定テーブルについて〉
実施の形態１と同内容であるため、ここでは説明を省略する。
【０１３６】
〈２−４．操作補助画像管理テーブルについて〉
実施の形態１と同内容であるため、ここでは説明を省略する。
【０１３７】
〈２−５．基準値算出画面について〉
実施の形態１と同内容であるため、ここでは説明を省略する。
【０１３８】
〈２−６．基準値算出処理について〉
実施の形態１と同内容であるため、ここでは説明を省略する。
【０１３９】
〈２−７．操作補助表示領域について〉
ここで、本発明の第一の実施形態に係るＨＤＤレコーダ１が表示する操作補助表示領域８０について、図１２の画面図を用いながら説明する。なお、実施の形態１と同内容の部分については、同一の符号を付加することにより説明を省略するものとする。
【０１４０】
図１２は、ＨＤＤレコーダ１がＯＳＤ機能部１７を用いて生成するユーザ操作画面の一つである動画再生メニュー画面９０と、その一部に表示される操作補助表示領域８０の一例を示した画面図である。なお、動画再生メニュー画面９０については、その一部に操作補助表示領域８０を含むレイアウトをとっていること以外は実施の形態１と同内容であるため、ここでは説明を省略する。
【０１４１】
操作補助表示領域８０は、ユーザの操作補助を行うための操作補助画像を表示する領域であり、動画再生メニュー画面９０の一部に予め含まれている。なお、操作補助表示領域８０が含むテキスト領域８１、画像表示領域８２、及び操作指示部８３については実施の形態１と同内容であるため、ここでは説明を省略する。
【０１４２】
本実施形態の操作補助表示領域８０は常に表示されているため、実施の形態１のような表示トリガは存在しない。代わりに、操作補助表示領域８０に表示される内容を変更するための内容変更トリガが存在する。内容変更トリガは例えば、ユーザが操作部２０を用いてカーソル９３を移動させることにより、操作補助の対象が変化した場合等に起動する。内容変更トリガが起動されると、現在表示されている操作補助画像が、操作補助ＩＤの異なる他の操作補助画像に切り替えられる。
【０１４３】
本実施形態において、習熟度に応じて表示される操作補助情報の具体例を、次の図１３を用いて説明する。図１３は、動画再生メニュー画面９０において表示される操作補助表示領域８０が含む操作補助内容を、習熟値ごとに分けて示したテーブル図である。
【０１４４】
図１３の「習熟度」欄には、図３の習熟度判定テーブルにより決定される習熟度が示されている。「補助説明内容」欄には、それぞれの習熟度に応じて生成される操作補助画像の内容が示されている。例えば「習熟度」が「低」の場合、「方向ボタンで、再生対象を変更すること」と「決定ボタンで再生対象を確定し、再生開始すること」を示す文字画がテキスト領域８１に表示され、さらに上記内容を示す静止画、及び動画が画像表示領域８２に表示される。
【０１４５】
また例えば、「習熟度」が「高」の場合、画面遷移が行われた直後、「方向ボタンで、再生対象を変更すること」と「決定ボタンで再生対象を確定し、再生開始すること」を示す文字画がテキスト領域８１に表示される。なお、画像表示領域８２は表示されない。
【０１４６】
〈２−８．習熟値変更処理について〉
実施の形態１の図１０に示すフロー図と同じ処理内容であるが、処理開始のトリガ、及びステップＳ３００の処理を実現するための具体的方法が一部異なる。
【０１４７】
実施の形態１においては、「画面遷移型トリガ」或いは「ボタン押下型トリガ」による操作補助表示領域８０の表示指示が発生した場合に本処理が開始されている。しかし本実施形態においては操作補助表示領域８０は常に表示されている。従って、操作補助表示領域８０に操作補助画像を表示する指示が発生した場合に本処理を開始する。なお、操作補助画像の表示指示は、例えば指示領域９２においてカーソル９３が所定箇所に移動させられた場合等に発生する。
【０１４８】
上記に関連してステップＳ３００においは、操作補助領域８０に表示されている操作補助画像の表示が終了したかどうかの判定を行う。しかし実施の形態１のように、操作補助表示領域８０の消去をもって表示終了とみなすことができない。
【０１４９】
従って例えば、操作補助表示領域８０が含まれる動画再生メニュー画面９０が画面遷移により消去された場合や、操作補助領域８０が表示している操作補助画像の操作補助ＩＤが変化した場合、或いは操作補助領域８０に含まれる情報が操作指示部８３に示されるボタンによりスクロール表示が完了した場合等をもって、表示終了とみなす。なお、どの方式を用いるかは実施形態に応じて適宜変更可能である。
【０１５０】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１５１】
従って本発明は、以下の形態にも適用可能である。
（Ａ）本実施形態では、ＨＤＤレコーダ１の初回電源起動時においてユーザの読取速度の基準値算出処理を行っているが、特定のユーザ操作を受け付けた際に基準値算出画面７０を表示し、図７のステップＳ１２０〜ステップＳ１６０の処理を実行することにより基準値Ａの算出を行う形態であっても構わない。
【０１５２】
（Ｂ）本実施形態では、操作補助情報として文字画、静止画、動画を組み合わせて習熟度に応じた操作補助を行っているが、これに加えて音声情報を組み合わせて操作補助を行う形態であってもよい。
【０１５３】
（Ｃ）本実施形態では、記録再生装置としてＨＤＤレコーダ１を例に挙げているが、これ以外の記録装置、再生装置、或いは記録再生装置において本発明の操作補助処理及び習熟値変更処理を実施する形態でもよい。例えば、ＤＶＤプレーヤ、ＢＤ−Ｒレコーダ、ＶＣＲ（Video Cassette Recorder）、デジタルチューナ内蔵テレビ等において実施する形態であってもよい。
【０１５４】
（Ｄ）本実施形態では、習熟値変更処理に関わる各種機能部が、マイクロプロセッサ等の演算処理装置上でプログラムを実行することにより実現されているが、各種機能部が複数の回路により実現される形態でもよい。
【０１５５】
（Ｅ）本実施形態では、メモリ１２に記録されている習熟値は一つのみであるが、ユーザ単位で習熟値を設け、ユーザ単位で基準値算出処理及び習熟値変更処理を行う形態であってもよい。この場合、例えばあらかじめＨＤＤレコーダ１を使用するユーザに対してユーザ認証を行うことにより、操作中のユーザを特定する。そして特定したユーザの基準値及び習熟値を用いて習熟値変更処理を行う。これにより、複数のユーザが交互にＨＤＤレコーダ１を使用する場合であっても、精度の高い習熟度判定処理を実現することが可能となる。
【０１５６】
（Ｆ）本実施形態では、メモリ１２に記録されている習熟値は一つのみであるが、操作補助ＩＤ単位で習熟値を設け、操作補助ＩＤ単位で習熟値変更処理を行う形態であってもよい。この場合、例えば操作補助ＩＤと習熟値とを関連付けたテーブルを設けることにより、操作補助ＩＤ毎の習熟値の管理を行う。そして操作補助画面が表示されて習熟値変更処理が実施された際に、操作補助画面の操作補助ＩＤに対応した習熟値が更新される。これにより、ユーザが頻繁に見る操作補助画像は文字情報のみの簡易な画面、逆にあまり見たことのない画面は動画等を用いた詳細な画面と、よりユーザの習熟度に適した操作補助画面を表示することが可能となる。
【図面の簡単な説明】
【０１５７】
【図１】は、本発明の記録再生装置が備える機能部の構成を示す機能ブロック図である。
【図２】は、本発明の記録再生装置の内部構造を示す構成図である。
【図３】は、本発明の習熟度判定テーブルを示すテーブル図である。
【図４】は、本発明の操作補助画像管理テーブルを示すテーブル図である。
【図５】は、本発明の基準値算出画面を示す画面図である。
【図６】は、本発明の基準値算出画面管理テーブルを示すテーブル図である。
【図７】は、本発明の基準値算出処理の処理フローを示したフロー図である。
【図８】は、本発明の第一の実施形態に係るユーザ操作画面及び操作補助表示領域の一例を示した画面図である。
【図９】は、本発明の第一の実施形態に係る習熟度毎の操作補助内容の一例を示したテーブル図である。
【図１０】は、本発明の習熟度変更処理の処理フローを示したフロー図である。
【図１１】は、本発明の習熟値変更処理における表示時間と習熟値変更有無との関係を示した時系列図である。
【図１２】は、本発明の第二の実施形態に係るユーザ操作画面及び操作補助表示領域の一例を示した画面図である。
【図１３】は、本発明の第二の実施形態に係る習熟度毎の操作補助内容の一例を示したテーブル図である。
【符号の説明】
【０１５８】
１      ＨＤＤレコーダ（記録再生装置）
１１    制御部
１１ａ  操作補助表示部（操作補助表示手段）
１１ｂ  表示時間測定部（表示時間測定手段）
１１ｃ  基準値算出部（基準値算出手段）
１１ｄ  習熟値変更部（習熟値変更手段）
１２    メモリ（記録手段）
１３    ＨＤＤ（記録手段）
１５    信号処理部（画像信号出力手段）
１７    ＯＳＤ処理部（画像信号生成手段）
１８    データ出力部（画像信号出力手段）
１９    ＲＯＭ（記録手段）
２２    通信部（通信手段）
【図１】
2008287785.tif 000003
【図２】
2008287785.tif 000004
【図３】
2008287785.tif 000005
【図４】
2008287785.tif 000006
【図５】
2008287785.tif 000007
【図６】
2008287785.tif 000008
【図７】
2008287785.tif 000009
【図８】
2008287785.tif 000010
【図９】
2008287785.tif 000011
【図１０】
2008287785.tif 000012
【図１１】
2008287785.tif 000013
【図１２】
2008287785.tif 000014
【図１３】
2008287785.tif 000015